(57)【要約】【課題】制御装置側とホールコンピュータ側とを繋ぐ中継信号線の配線を簡単に繋ぎ代えることができるようにする。【解決手段】制御装置が特定遊技状態に制御しているとき出力する特定遊技状態期間信号を含む各種遊技情報信号を外部のホールコンピュータに送信し得るように、複数の中継信号線12a〜12hをもって、制御装置の出力側に接続された外部集中端子板とホールコンピュータ信号線とを接続するようにした遊技機にあって、複数の中継信号線12a〜12hのうち少なくとも２本以上の中継信号線に、外部集中端子板とホールコンピュータ信号線との間の配線を繋ぎ代え可能な中継コネクタ123c、123d、123e、123g、123hをそれぞれ設ける。【選択図】図６
2007190266.tif 000002
【特許請求の範囲】
【請求項１】
筐体と、該筐体内に配置されるとともに、遊技が予め定められた遊技状態になった場合、遊技者にとって有利な複数の特定遊技状態のうちのいずれかの特定遊技状態に制御可能な制御装置とを含み、該制御装置が前記特定遊技状態に制御しているとき出力する特定遊技状態期間信号を含む各種遊技情報信号を外部のホールコンピュータに送信し得るように、複数の中継信号線をもって、前記制御装置の出力側に接続された外部集中端子板とホールコンピュータ信号線とを接続するようにした遊技機にあって、
前記複数の中継信号線のうち少なくとも２本以上の中継信号線に、前記外部集中端子板と前記ホールコンピュータ信号線との間の配線を繋ぎ代え可能な中継コネクタをそれぞれ設けたことを特徴とする遊技機における配線装置。
【請求項２】
複数の中継信号線を筐体の後板に穿設した孔部を通して該筐体外へ排出するとともに、中継コネクタを前記筐体外に配置したことを特徴とする請求項１記載の遊技機における配線装置。
【請求項３】
複数の中継信号線のうち中継コネクタを設けた中継信号線を、複数の特定遊技状態期間信号のうちのいずれかの特定遊技状態期間信号を送信可能としたことを特徴とする請求項１または２記載の遊技機における配線装置。
【請求項４】
各中継信号線における中継コネクタの近傍を、結束バンドにより束ねたことを特徴とする請求項１〜３のいずれかに記載の遊技機における配線装置。
【請求項５】
各中継信号線及び／または各中継コネクタの表面に、それぞれ異なる彩色を施したことを特徴とする請求項１〜４のいずれかに記載の遊技機における配線装置。
【発明の詳細な説明】
【技術分野】
【０００１】
本発明は、遊技機内の制御装置とホールコンピュータとを接続する遊技機における配線装置に関する。
【背景技術】
【０００２】
パチンコ機、スロットマシン等の遊技機は、複数種類の識別情報を可変表示可能な可変表示装置の表示結果が予め定められた特定の表示態様になった場合、遊技を統括的に制御する制御装置をもって、遊技者にとって有利な特定遊技状態に制御するとともに、その特定遊技状態期間信号を、遊技機の上方に設置された呼び出し兼表示装置を経由して、ホールコンピュータに送信する。呼び出し兼表示装置は、特定遊技状態期間信号に基いて特定遊技状態の発生回数等の履歴を表示し、ホールコンピュータは、呼び出し兼表示装置を経由して出力される各種遊技情報信号に基いて各遊技機の遊技状況を管理する（例えば、特許文献１参照）。
【特許文献１】特開２００１−１２０７１０号公報
【発明の開示】
【発明が解決しようとする課題】
【０００３】
しかし、従来の遊技機においては、新たに遊技機を遊技店に設置する際、遊技機の仕様に対して、遊技店に予め設置された呼び出し兼表示装置やホールコンピュータの仕様が一致しない場合には、作業者が遊技機の制御装置とホールコンピュータ信号線とを繋ぐ中継信号線の配線を繋ぎ代える必要がある。この繋ぎ代え作業は、工具をもって、繋ぎ代える中継信号線を切断し、対応する信号線同士を再び接続することによって行われるため、極めて作業効率が悪い。したがって、作業者からは、中継信号線の配線を簡単に繋ぎ代えることができる配線装置が強く要望されていた。
【０００４】
本発明は、上述のような課題に鑑み、制御装置側とホールコンピュータ側とを繋ぐ中継信号線の配線を簡単に繋ぎ代えることができるようにした遊技機における配線装置を提供することを目的とする。
【課題を解決するための手段】
【０００５】
本発明によると、上記課題は、次のようにして解決される。
（１）筐体と、該筐体内に配置されるとともに、遊技が予め定められた遊技状態になった場合、遊技者にとって有利な複数の特定遊技状態のうちのいずれかの特定遊技状態に制御可能な制御装置とを含み、該制御装置が前記特定遊技状態に制御しているとき出力する特定遊技状態期間信号を含む各種遊技情報信号を外部のホールコンピュータに送信し得るように、複数の中継信号線をもって、前記制御装置の出力側に接続された外部集中端子板とホールコンピュータ信号線とを接続するようにした遊技機にあって、前記複数の中継信号線のうち少なくとも２本以上の中継信号線に、前記外部集中端子板と前記ホールコンピュータ信号線との間の配線を繋ぎ代え可能な中継コネクタをそれぞれ設ける。
【０００６】
（２）上記(１)項において、複数の中継信号線を筐体の後板に穿設した孔部を通して該筐体外へ排出するとともに、中継コネクタを前記筐体外に配置する。
【０００７】
（３）上記(１)または(２)項において、複数の中継信号線のうち中継コネクタを設けた中継信号線を、複数の特定遊技状態期間信号のうちのいずれかの特定遊技状態期間信号を送信可能とする。
【０００８】
（４）上記(１)〜(３)項のいずれかにおいて、各中継信号線における中継コネクタの近傍を、結束バンドにより束ねる。
【０００９】
（５）上記(１)〜(４)項のいずれかにおいて、各中継信号線及び／または各中継コネクタの表面に、それぞれ異なる彩色を施す。
【発明の効果】
【００１０】
本発明によれば、次のような効果が奏せられる。
（ａ）請求項１記載の発明によると、複数の中継信号線のうち少なくとも２本以上の中継信号線に、外部集中端子板とホールコンピュータ信号線との間の配線を繋ぎ代え可能な中継コネクタをそれぞれ設けたことによって、外部集中端子板とホールコンピュータ信号線との間の配線を、必要に応じて簡単に繋ぎ代えることができる。
【００１１】
（ｂ）請求項２記載の発明によると、複数の中継信号線を筐体の後板に穿設した孔部を通して該筐体外へ排出するとともに、中継コネクタを筐体外に配置したことにより、繋ぎ代え作業を筐体の裏面側から簡単に行うことができる。また、中継コネクタが筐体内に存在しないため、筐体内の配線の一部として間違われることもない。
【００１２】
（ｃ）請求項３記載の発明によると、複数の中継信号線のうち中継コネクタを設けた中継信号線を、複数の特定遊技状態期間信号のうちのいずれかの特定遊技状態期間信号を送信可能としたことにより、特定遊技状態期間信号を送信する配線を、必要に応じて繋ぎ代えることができる。
【００１３】
（ｄ）請求項４記載の発明によると、各中継信号線における中継コネクタの近傍を、結束バンドにより束ねたことにより、中継信号線の繋ぎ代え作業を効率的に行うことができる。
【００１４】
（ｅ）請求項５記載の発明によると、各中継信号線及び／または各中継コネクタの表面にそれぞれ異なる彩色を施したことにより、中継コネクタ同士の接続間違いを防止することができる。
【発明を実施するための最良の形態】
【００１５】
図１は、本発明の一実施形態を適用した遊技機（スロットマシン）の正面図、図２は、前扉を開けた状態の遊技機の正面図、図３は、遊技機の裏面側の要部の斜視図、図４は、制御回路の一例を示すブロック図、図５、６は、中継信号線の接続例を示す接続図である。なお、以下の説明では、図１、２における図面手前側を「前方」とし、図１、２における図面奥側を「後方」とする。
【００１６】
遊技機(１)としてのスロットマシンは、前面が開放した正面視矩形の筐体(２)と、筐体(２)の左側部に上下方向を向く上下１対のヒンジ軸(４)により開閉可能に枢支された前扉(３)とを備える。
【００１７】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００１８】
筐体(２)内には、遊技進行が予めプログラムされ、遊技を統括的に制御する制御装置をなす主制御基板(５)、主制御基板(５)から出力される制御信号に基づいて、遊技情報及び演出情報を出力可能な副制御基板(６)、主制御基板(５)が出力する制御信号に基いて制御され、複数種類の図柄、数字等で構成される識別情報を変動及び停止表示可能な回転リールユニット(７)、遊技媒体であるメダルを貯留及び払出可能なホッパーユニット(８)、各種電気機器へ電力を供給する電源装置(９)、主制御基板(５)が出力する後述の各種遊技情報信号を中継する外部集中端子板(10)等が収容されている。
【００１９】
主制御基板(５)は、透明な基板ボックス内に収容された状態で、筐体(２)内の後板(21)に固定される。
【００２０】
外部集中端子板(10)は、主制御基板(５)の近傍に設置されるとともに、８本の中継信号線(12a)〜(12h)を介して遊技機(１)の上方に設置される呼び出し兼表示装置(15)（図４参照）に電気的に接続されることにより、主制御基板(５)が出力する各種遊技情報信号を呼び出し兼表示装置(15)を経由して遊技店内に設置されるホールコンピュータ(11)に送信する。
【００２１】
呼び出し兼表示装置(15)は、遊技機(１)の特定遊技状態の発生回数等の履歴データや遊技者による係員呼び出し中か否か等の種々の情報を表示する。
【００２２】
なお、主制御基板(５)が出力する各種遊技情報信号を呼び出し兼表示装置(15)を経由させないで、ホールコンピュータ(11)に送信する場合には、外部集中端子板(10)に接続された中継信号線(12a)〜(12h)を、遊技店内に配線されたホールコンピュータ信号線(111)に直接接続する。
【００２３】
回転リールユニット(７)は、外周面に識別情報が印刷または貼付された左、中、右の３個の回転リール(72)を備え、各回転リール(72)は、主制御基板(５)が出力する制御信号に基いて制御されるモータ（図示略）により回転、停止する。
【００２４】
なお、回転リールユニット(７)は、本実施形態に特定されるものでなく、３個の回転リール(72)に代えて、ループ状の３本のベルトにそれぞれの識別情報を印刷または貼付し、この３本のベルトを各リールによりそれぞれ回走させるようにしたベルト式や識別情報を可変及び停止表示可能な液晶表示器等としても良い。
【００２５】
前扉(３)の裏面側には、各種遊技情報及び演出を表示可能な液晶表示器(13)と、効果音を発生するスピーカ(14)と、後述のメダル投入部(31)に投入されるメダルの真偽を判別し、真のメダルのみの通過を検出するメダルセレクター(16)（図４参照）とが設けられている。
【００２６】
前扉(３)の前面には、液晶表示器(13)に表示される遊技情報及び演出情報を透視可能な遊技情報表示窓(32)、各回転リール(72)の識別情報を３こまずつ透視可能な識別情報表示窓(33)、遊技を開始するときにメダルが投入されるメダル投入部(31)、メダルの賭数を最大限（３枚）に設定するＭＡＸベットボタン(34)、メダルの賭数を１枚に設定する１枚ベットボタン(35)、全ての回転リール(72)を一斉に回転させるときに操作されるスタートレバー(36)、各回転リール(72)の回転を個別に停止させるときに操作される３個のストップボタン(37)及び遊技を精算するときに操作される精算ボタン(38)等が設けられている。
【００２７】
なお、ＭＡＸベットボタン(34)、１枚ベットボタン(35)、スタートレバー(36)、各ストップボタン(37)及び精算ボタン(38)の内部には、それぞれの操作を検出するための操作検出センサ(39)（図４参照）が内蔵されている。
【００２８】
次に、遊技機(１)の遊技方法について簡単に説明する。遊技者がメダルをメダル投入部(31)に投入した後、ＭＡＸベットボタン(34)（または、１枚ベットボタン(35)）を操作して遊技の賭数を確定した後、スタートレバー(36)を操作して各回転リール(72)を一斉に回転させる。そして、所定時間経過後に各回転リール(72)に対応する各ストップボタン(37)を順次操作して、各回転リール(72)を停止させる。
【００２９】
各回転リール(72)が停止したときの、識別情報表示窓(33)内の有効ライン上に表示される左、中、右の識別情報の組み合わせにより、入賞の有無、及び賞の大小が決定され、各種の入賞態様に応じた数のメダルがホッパーユニット(８)から前扉(３)の受皿部(3a)に払い出される。そして、入賞のうち遊技者にとって有利な複数の特定遊技状態のうちのいずれかの特定遊技状態となった場合には、所定の効果音をスピーカ(14)から発生させたり、液晶表示器(13)に特定遊技状態に関する遊技情報を表示させる等して演出効果を高める。
【００３０】
本実施形態における遊技機(１)の特定遊技状態には、それぞれ異なる状態の、レギュラーボーナスゲーム（ＲＢ）、ビッグボーナスゲーム（ＢＢ）、シングルボーナスゲーム（ＳＢ）、チャンスタイムボーナスゲーム（ＣＢ）がある。
【００３１】
レギュラーボーナスゲームは、有効ライン上に予め定められた特定の第１の識別情報が３つ揃って停止した場合に発生するもので、その後、メダルが所定枚数払い出されるまで入賞が連続する。そして、主制御基板(５)は、レギュラーボーナスゲームの期間であることを示す第一種特別役物作動信号（第１特定遊技状態期間信号）を、外部集中端子板(10)、呼び出し兼表示装置(15)を経由してホールコンピュータ(11)に送信する。
【００３２】
ビッグボーナスゲームは、有効ライン上に予め定められた特定の第２の識別情報が３つ揃って停止した場合に発生するもので、その後、メダルがレギュラーボーナスゲームより多い所定枚数払い出されるまで入賞が連続する。そして、主制御基板(５)は、ビッグボーナスゲームの期間であることを示す第一種特別役物に係る役物連続作動装置信号（第２特定遊技状態期間信号）を、外部集中端子板(10)、呼び出し兼表示装置(15)を経由してホールコンピュータ(11)に送信する。
【００３３】
シングルボーナスゲームは、有効ライン上に予め定められた特定の第３の識別情報が停止した場合に発生するもので、次のゲームに極めて高い確率で入賞する。そして、主制御基板(５)は、シングルボーナスゲームの期間であることを示す第二種特別役物作動信号（第３特定遊技状態期間信号）を、外部集中端子板(10)、呼び出し兼表示装置(15)を経由してホールコンピュータ(11)に送信する。
【００３４】
チャンスタイムボーナスゲームは、有効ライン上に予め定められた特定の第４の識別情報が３つ揃って停止した場合に発生するもので、その後、遊技者がストップボタン(37)の操作により回転リール(72)を止める技術度合い（目押し操作）に応じて入賞し、入賞回数に応じたメダルを獲得することができる。そして、主制御基板(５)は、チャンスタイムボーナスゲームの期間であることを示す第二種特別役物に係る役物連続作動装置信号（第４特定遊技状態期間信号）を、外部集中端子板(10)、呼び出し兼表示装置(15)を経由してホールコンピュータ(11)に送信する。
【００３５】
次に、図４に示す制御回路のブロック図を参照して制御について説明する。主制御基板(５)は、電源装置(９)に接続されて電力が入力されるとともに、遊技が入賞したとき、メダル払出制御信号を電源装置(９)を経由してホッパーユニット(８)に送信する。ホッパーユニット(８)は、払出制御信号に基づいてメダル払出駆動を実行するとともに、センサー（図示略）によりメダルの払い出しを検出して、その検出信号を主制御基板(５)に送信する。
【００３６】
副制御基板(６)は、主制御基板(５)が出力する表示及び演出に係わる制御信号に基づいて、スピーカ(14)に所定の効果音信号、液晶表示器(13)に各種情報信号を出力する。
【００３７】
ＭＡＸベットボタン(34)、１枚ベットボタン(35)、スタートレバー(36)、ストップボタン(37)及び精算ボタン(38)のそれぞれの操作検出センサ(39)の操作信号は、主制御基板(５)に入力される。
【００３８】
主制御基板(５)は、スタートレバー(36)の操作による操作検出センサ(39)のスタート信号が入力された時点で、数値データ更新データにより入賞か否かが抽選され、その抽選結果に係わる制御信号に基づいて、各回転リール(72)の各モータを個別に制御する。
【００３９】
外部集中端子板(10)は、主制御基板(５)の出力端子に信号線を介して接続されるとともに、その出力端子には、中継信号線(12a)〜(12h)が接続される。
【００４０】
中継信号線(12a)〜(12h)の一端には、遊技機側コネクタ(121)、また、同じく他端には、外部側コネクタ(122)がそれぞれ接続される。遊技機側コネクタ(121)は、外部集中端子板(10)の出力端子に接続される。外部側コネクタ(122)は、呼び出し兼表示装置(15)を経由してホールコンピュータ側信号線(111)に接続される外部信号線(111a)に接続される。
【００４１】
８本の中継信号線(12a)〜(12h)のうち５本の中継信号線(12c)(12d)(12e)(12g)(12h)には、遊技機側コネクタ(121)と外部側コネクタ(122)との間の配線を断続可能で、かつ遊技機側コネクタ(121)側に接続される信号線に対して、外部側コネクタ(122)側に接続される信号線を、必要に応じて繋ぎ代え可能な中継コネクタ(123c)(123d)(123e)(123g)(123h)がそれぞれ設けられる。
【００４２】
各中継信号線(12a)〜(12h)における中継コネクタ(123c)(123d)(123e)(123g)(123h)の両側の近傍は、結束バンド(124)により束ねられる。これにより、各中継コネクタ(123c)(123d)(123e)(123g)(123h)のいずれかを外して各中継信号線(12a)〜(12h)のいずれかを繋ぎ代えを行なう際、各中継信号線(12a)〜(12h)が散けないので、繋ぎ代えを効率的に行うことができる。
【００４３】
また、各中継信号線(12a)〜(12h)の表面（被覆材）は、それぞれが異なる彩色が施されている。例えば、中継信号線(12a)は茶色、(12b)は赤色、(12c)は橙色、(12d)は黄色、(12e)は緑色、(12f)は青色、(12g)は紫色、(12h)は灰色とする。さらには、各中継コネクタ(123c)(123d)(123e)(123g)(123h)においても、繋がれる中継信号線(12a)〜(12h)と同色の彩色が施される。このような彩色を施すことによって、各中継コネクタ(123c)(123d)(123e)(123g)(123h)同士の接続を色に基いて行うことができ、接続間違いを防止することができる。なお、彩色は、中継信号線(12a)〜(12h)または中継コネクタ(123c)(123d)(123e)(123g)(123h)のいずれか一方、または両方に施しても良い。
【００４４】
なお、中継信号線の数及び中継コネクタをどの中継信号線に設けるかは、遊技機(１)の仕様に基いて決定されるものであって、本実施形態に特定されるものではない。要するに、中継信号線が複数で、かつ中継信号線の繋ぎ代えができるように、中継コネクタを少なくとも２本以上の中継信号線に設ければよい。
【００４５】
主制御基板(５)から出力される各種遊技情報信号は、外部集中端子板(10)を経由して、中継信号線(12a)〜(12h)に送られる。各種遊技情報信号のうちメダル投入信号は中継信号線(12a)、ホッパーユニット(８)がメダルを払い出すときのメダル払出信号は中継信号線(12b)、第一種特別役物作動信号は中継信号線(12c)、第一種特別役物に係わる役物連続作動装置信号は中継信号線(12d)、第二種特別役物作動信号は中継信号線(12e)、リレーコモンは中継信号線(12f)、第二種特別役物に係わる役物連続作動装置信号は中継信号線(12g)、エラー信号は中継信号線(12h)にそれぞれ出力される。なお、各種遊技情報信号の種類、配線順序は、それぞれ一例を示すものであって、それらは、遊技機(１)の仕様に基いて決定される。
【００４６】
中継信号線(12a)〜(12h)は、筐体(２)内で遊技機側コネクタ(121)が外部集中端子板(10)の出力端子に接続されるとともに、後板(21)に穿設された孔部(22)を通して、中継コネクタ(123c)(123d)(123e)(123g)(123h)及び外部側コネクタ(122)が筐体(２)外に排出される。
【００４７】
遊技機(１)の仕様に対して、遊技店の呼び出し兼表示装置(15)の表示形態、ホールコンピュータ(11)の管理形態が全て一致する場合には、中継信号線(12a)〜(12h)の遊技機側コネクタ(121)を外部集中端子板(10)の出力端子に接続し、また、外部側コネクタ(122)を外部信号線(111a)に接続することにより、主制御基板(５)から出力される各種遊技情報信号は、呼び出し兼表示装置(15)を経由してホールコンピュータ(11)に送信される（図５参照）。
【００４８】
また、遊技機(１)の仕様に対して、呼び出し兼表示装置(15)の表示形態、ホールコンピュータ(11)の管理形態が一致しない場合、例えば、主制御基板(５)が出力する第一種特別役物作動信号を第二種特別役物に係る役物連続作動装置信号に代えて、呼び出し兼表示装置(15)を経由してホールコンピュータ(11)に送信する場合には、中継信号線(12c)(12g)の各中継コネクタ(123)を外して、遊技機側コネクタ(121)に接続された中継信号線(12g)の中継コネクタ(123g)を外部側コネクタ(122)に接続された中継信号線(12c)の中継コネクタ(123c)に繋ぎ代える。この繋ぎ代え作業は、筐体(２)の裏面側から簡単に行うことができる。また、中継コネクタ(123c)(123d)(123e)(123g)(123h)が筐体(２)内に存在しないため、筐体(２)内の配線の一部として間違われることはない。
【図面の簡単な説明】
【００４９】
【図１】本発明の一実施形態を適用した遊技機の正面図である。
【図２】前扉を開けた状態の遊技機の正面図である。
【図３】遊技機の裏面側の要部の斜視図である。
【図４】制御回路の一例を示すブロック図である。
【図５】中継信号線の接続例を示す接続図である。
【図６】中継信号線の他の接続例を示す接続図である。
【符号の説明】
【００５０】
(１)遊技機
(２)筐体
(３)前扉
(3a)受皿部
(４)ヒンジ軸
(５)主制御基板（制御装置）
(６)副制御基板
(７)回転リールユニット
(８)ホッパーユニット
(９)電源装置
(10)外部集中端子板
(11)ホールコンピュータ
(12a)〜(12h)中継信号線
(13)液晶表示器
(14)スピーカ
(15)呼び出し兼表示装置
(16)メダルセレクター
(21)後板
(22)孔部
(31)メダル投入部
(32)遊技情報表示窓
(33)識別情報表示窓
(34)ＭＡＸベットボタン
(35)１枚ベットボタン
(36)スタートレバー
(37)ストップボタン
(38)精算ボタン
(39)操作検出センサ
(72)回転リール
(111)ホールコンピュータ信号線
(111a)外部信号線
(121)遊技機側コネクタ
(122)外部側コネクタ
(123c)(123d)(123e)(123g)(123h)中継コネクタ
(124)結束バンド
【図１】
2007190266.tif 000003
【図２】
2007190266.tif 000004
【図３】
2007190266.tif 000005
【図４】
2007190266.tif 000006
【図５】
2007190266.tif 000007
【図６】
2007190266.tif 000008